Podtech/llm-jp-corpus-v4-ja_patent huggingface dataset:
【手続補正書】
【提出日】平成24年12月14日(2012.12.14)
【手続補正１】
【補正対象書類名】明細書
【補正対象項目名】０１２８
【補正方法】変更
【補正の内容】
【０１２８】
【表３】
2012513496.tif 000001
本願発明に関連する発明の実施形態について以下に列挙する。
[実施形態１]
重合マイクロ構造表面を含む、マイクロ構造フィルムであって、前記マイクロ構造が、少なくとも１．５６の屈折率を有する有機部分を含む重合性樹脂組成物の反応生成物を含み、前記重合性樹脂組成物は、重合性紫外線吸収化合物を含む、マイクロ構造フィルム。
[実施形態２]
前記重合性紫外線吸収化合物が、ヒドロキシ−ベンゾフェノン、ヒドロキシ−フェニル−ベンゾトリアゾール、及びヒドロキシ−フェニル−トリアジンからなる群から選択されるコア構造を含む、実施形態１に記載のマイクロ構造フィルム。
[実施形態３]
前記重合性紫外線吸収化合物が、前記コア構造に結合する置換基を含み、前記置換基が、（メタ）アクリレート末端基を含む、実施形態２に記載のマイクロ構造フィルム。
[実施形態４]
前記重合性紫外線吸収化合物が、単官能性（メタ）アクリレート化合物である、実施形態２に記載のマイクロ構造フィルム。
[実施形態５]
前記重合性樹脂組成物が、１種以上の重合性紫外線吸収化合物を、約１重量％〜約１０重量％の範囲の総量で含む、実施形態１に記載のマイクロ構造フィルム。
[実施形態６]
前記重合性樹脂が、非臭素化されている、実施形態１に記載のマイクロ構造フィルム。
[実施形態７]
前記重合性樹脂が、非ハロゲン化されている、実施形態１に記載のマイクロ構造フィルム。
[実施形態８]
前記重合性樹脂が、少なくとも１．５８５の屈折率を有する、少なくとも１種の芳香族モノマー又はオリゴマーを含む、実施形態１に記載のマイクロ構造フィルム。
[実施形態９]
前記重合性樹脂が、少なくとも１種の（メタ）アクリレート芳香族モノマー又はオリゴマーを含み、前記モノマー又はオリゴマーは、イオウ、ナフチル、フルオレン、又はこれらの混合物を含む、実施形態１に記載のマイクロ構造フィルム。
[実施形態１０]
前記重合性樹脂が、光反応開始剤以外に、１重量％を超えない非重合性添加剤を含む、実施形態１に記載のマイクロ構造フィルム。
[実施形態１１]
前記重合性樹脂が、無機粒子を更に含む、実施形態１に記載のマイクロ構造フィルム。
[実施形態１２]
前記無機粒子が、ジルコニアを含む、実施形態１に記載のマイクロ構造フィルム。
[実施形態１３]
３００マイクロメートル未満の厚さを有するフィルムが、２８８時間の加速エージングの後、５．０を超えないｂ＊を有する、実施形態１に記載のマイクロ構造フィルム。
[実施形態１４]
前記フィルムが、２８８時間の加速エージングの後、３．０を超えないｂ＊を有する、実施形態１に記載のマイクロ構造フィルム。
[実施形態１５]
前記フィルムが、輝度向上フィルムである、実施形態１〜１４のいずれか一項に記載のマイクロ構造フィルム。
[実施形態１６]
重合性樹脂組成物であって、
ｉ）イオウ、ナフチル、フルオレン、又はこれらの混合物を含む、少なくとも１種の芳香族（メタ）アクリレートモノマー又はオリゴマーと、
ｉｉ）ヒドロキシ−ベンゾフェノン、ヒドロキシ−フェニル−ベンゾトリアゾール、ヒドロキシ−フェニル−トリアジンからなる群から選択されるコア構造、及び前記コア構造に結合する置換基を含み、前記置換基は、（メタ）アクリレート末端基を含む、紫外線吸収化合物と、を含む、重合性樹脂組成物。
[実施形態１７]
重合性樹脂組成物であって、
ｉ）１重量％〜２０重量％の、次式で表される１種以上の（メタ）アクリレートモノマーと、
ＵＶＡ−Ｌｖ−Ａ
（式中、
ＵＶＡは、
【化１】
2012513496.tif 000002
からなる群から選択される、置換されたコア構造又は置換されていないコア構造であり、Ｌｖは、ＵＶＡをＡに共有結合させる連結基であり、
Ａは、（メタ）アクリレート基である）
ｉｉ）少なくとも１．５８５の屈折率を有する、実質的に非ハロゲン化された（メタ）アクリレートモノマー又はオリゴマーと、を含む、重合性樹脂組成物。
[実施形態１８]
前記重合性樹脂が、少なくとも２つの芳香族基を含む、少なくとも１種のジ（メタ）アクリレートモノマー又はオリゴマーを含む、実施形態１６〜１７のいずれか一項に記載の重合性樹脂。
[実施形態１９]
前記重合性樹脂が、少なくとも１つの芳香族基を含む、少なくとも１種のモノ（メタ）アクリレートモノマーを含む、実施形態１６〜１８のいずれか一項に記載の重合性樹脂。
[実施形態２０]
前記重合性樹脂が、光反応開始剤以外に、１重量％を超えない非重合性添加剤を含む、実施形態１６〜１９のいずれか一項に記載の重合性樹脂。
[実施形態２１]
前記重合性樹脂が、無機粒子を更に含む、実施形態１６〜２０のいずれか一項に記載の重合性樹脂。
[実施形態２２]
重合マイクロ構造表面を含む、マイクロ構造フィルムであって、前記マイクロ構造が、前記実施形態１６〜２１のいずれか一項に記載の重合性樹脂組成物の反応生成物を含む、マイクロ構造フィルム。
[実施形態２３]
前記フィルムが、輝度向上フィルムである、実施形態２２に記載のマイクロ構造フィルム。
[実施形態２４]
３００マイクロメートル未満の厚さを有するフィルムが、２８８時間の加速エージングの後、５．０を超えないｂ＊を有する、実施形態２２又は２３に記載のマイクロ構造フィルム。
[実施形態２５]
前記重合マイクロ構造表面が、少なくとも１．５９の屈折率を有する、実施形態２２〜２４のいずれか一項に記載のマイクロ構造フィルム。
【手続補正２】
【補正対象書類名】特許請求の範囲
【補正対象項目名】全文
【補正方法】変更
【補正の内容】
【特許請求の範囲】
【請求項１】
重合マイクロ構造表面を含む、マイクロ構造フィルムであって、前記マイクロ構造が、少なくとも１．５６の屈折率を有する有機部分を含む重合性樹脂組成物の反応生成物を含み、前記重合性樹脂組成物は、重合性紫外線吸収化合物を含む、マイクロ構造フィルム。
【請求項２】
前記重合性紫外線吸収化合物が、ヒドロキシ−ベンゾフェノン、ヒドロキシ−フェニル−ベンゾトリアゾール、及びヒドロキシ−フェニル−トリアジンからなる群から選択されるコア構造を含む、請求項１に記載のマイクロ構造フィルム。
【請求項３】
前記重合性紫外線吸収化合物が、前記コア構造に結合する置換基を含み、前記置換基が、（メタ）アクリレート末端基を含む、請求項２に記載のマイクロ構造フィルム。
【請求項４】
重合性樹脂組成物であって、
ｉ）１重量％〜２０重量％の、次式で表される１種以上の（メタ）アクリレートモノマーと、
ＵＶＡ−Ｌｖ−Ａ
（式中、
ＵＶＡは、
【化１】
2012513496.tif 000003
からなる群から選択される、置換されたコア構造又は置換されていないコア構造であり、Ｌｖは、ＵＶＡをＡに共有結合させる連結基であり、
Ａは、（メタ）アクリレート基である）
ｉｉ）少なくとも１．５８５の屈折率を有する、実質的に非ハロゲン化された（メタ）アクリレートモノマー又はオリゴマーと、を含む、重合性樹脂組成物。
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
孔体積を画定する微小孔を含む疎水性で、非晶質であり、実質的に微多孔性の有機ケイ酸塩組成物を含むフィルムであって、
前記有機官能性ケイ酸塩組成物が、
溶媒と、
少なくとも２つの有機官能性加水分解性シランと、
酸と、を含む前駆体反応混合物から調製される、フィルム。
【請求項２】
前記加水分解性シランが有機官能性アルコキシシランを含み、
少なくとも１つの有機官能性アルコキシシランが式：
Ｒ１−Ｓｉ（ＯＲ２）３
を有し、式中、Ｒ１及びＲ２がアルキル又はアリール基である、請求項１に記載のフィルム。
【請求項３】
前記加水分解性シランが、有機官能性アルコキシシランを含み、
前記有機官能性アルコキシシランが、
式：
Ｒ１−Ｓｉ（ＯＲ２）３
（式中、Ｒ１及びＲ２がアルキル又はアリール基である）の有機官能性アルコキシシランと、
式：
（Ｒ３Ｏ）３Ｓｉ−Ｒ５−Ｓｉ（ＯＲ４）３
（式中、Ｒ３及びＲ４がアルキル又はアリール基であり、Ｒ５がアルキレン、アリーレ
ン又はアラルキレン基である）の有機官能性アルコキシシランと、を含む、請求項１に記載のフィルム。
【請求項４】
基材を準備する工程、
前駆体反応混合物であって、
溶媒と、
少なくとも２つの有機官能性加水分解性シランと、
酸と、を含む、前駆体反応混合物を準備する工程、
前記基材上に前記前駆体混合物をコーティングする工程、並びに、
焼成されたフィルムを形成するのに十分な温度に、前記コーティングされた混合物を加熱する工程、を含む、フィルムの調製方法であって、ここで、前記フィルムが、孔体積を画定する微小孔を含む疎水性で非晶質であり、実質的に微多孔性の有機ケイ酸塩組成物を含む、方法。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
以下のものを含む組成物：
a）スマトリプタン、ナラトリプタン、エレトリプタン、フロバトリプタン、アルモトリプタン、ゾルミトリプタン、それらの塩、またはそれらの組み合わせから選択されるトリプタン類似体の治療的有効量；および
b）アルキルサッカリド。
【請求項２】
アルキルサッカリド濃度が約0.05％〜2％または約0.1％〜0.25％であり、および／またはアルキルサッカリドが、10〜16個の炭素を含むアルキル鎖を有する、請求項1記載の組成物。
【請求項３】
アルキルサッカリドが、ウンデシル-β-D-マルトシド、ドデシル-β-D-マルトシド、トリデシル-β-D-マルトシド、テトラデシル-β-D-マルトシド、スクロースモノドデカノエート、またはそれらの組み合わせである、請求項1または2記載の組成物。
【請求項４】
前記化合物が鼻腔内送達のために製剤化されている、請求項1〜3のいずれか一項記載の組成物。
【請求項５】
アルキルグリコシドの臨界ミセル濃度（CMC）が約1mM未満または約0.5mM未満である、請求項1〜4のいずれか一項記載の組成物。
【請求項６】
エチレンジアミン四酢酸（EDTA）またはその塩をさらに含み、EDTAが重量比で約0.01％〜2％の濃度を有する、請求項1〜5のいずれか一項記載の組成物。
【請求項７】
約7またはそれ未満のpHを有する、請求項1〜6のいずれか一項記載の組成物。
【請求項８】
アルキルサッカリドの非存在下でもたらされる対応するCmaxと比較して、トリプタン類似体に関して約1.3倍またはそれ以上の大きさであるCmaxをもたらす、請求項1〜7のいずれか一項記載の組成物。
【請求項９】
ヒトへの投与後約20分未満の時点で、投与約60分後の時点でのトリプタン類似体の血漿中濃度または血中濃度と比較して少なくとも約1.3倍、1.5倍またはそれ以上の高さであるトリプタン類似体の最大血漿中濃度または血中濃度をもたらす、請求項1〜8のいずれか一項記載の組成物。
【請求項１０】
ヒトへの投与後約20分未満のうちに血漿中または血液中のトリプタン類似体に関するCmaxをもたらし、アルキルサッカリド濃度が0.05〜0.2％であり、かつCmaxの少なくとも約0.25倍である60分時点での持続的トリプタン類似体濃度をもたらす、請求項1〜9のいずれか一項記載の組成物。
【請求項１１】
トリプタン類似体がスマトリプタンである、鼻腔内投与のために製剤化されている、請求項1〜10のいずれか一項記載の組成物。
【請求項１２】
1）前記組成物が、IMITREX（登録商標）注射剤と比較して少なくとも約17％の生物学的利用能を有し、かつAUC0-1hrが約10ng.hr／mLもしくはそれ以上であるか、または、前記組成物が、IMITREX（登録商標）鼻噴霧薬と比較して少なくとも約120％の生物学的利用能を有し、かつAUC0-1hrが約10ng.hr／mLもしくはそれ以上であり、
2）前記組成物が、15ng／mLを上回るCmaxを有するか、または約1×10（exp 6）mL（exp-1）（1×106mL-1）を上回る用量／Cmax比を有し、
3）前記組成物が、約20分未満のTmaxを有するか、または約15分未満のTmaxを有し、
4）スマトリプタン濃度が5mg〜100mgであり、および／または
5）前記組成物が、約10ng*hr／mLを上回るAUC0-1hrをもたらす、
請求項11記載の組成物。
【請求項１３】
約2分またはそれ未満で約5ng／mLを上回るかもしくはそれと等しいスマトリプタンの血漿レベルをもたらすか、約5分もしくはそれ未満で約5ng／mLを上回るかもしくはそれと等しいスマトリプタンの血漿レベルをもたらすか、または約15分もしくはそれ未満で約10ng／mLを上回るかもしくはそれと等しいスマトリプタンの血漿レベルをもたらす、請求項11記載の組成物。
【請求項１４】
約20mgのスマトリプタンを含み、約20分またはそれ未満で約16ng／mLを上回るかまたはそれと等しいスマトリプタンの血漿レベルをもたらす、請求項11記載の組成物。
【請求項１５】
アルキルサッカリドが、ウンデシル-β-D-マルトシド、ドデシル-β-D-マルトシド、トリデシル-β-D-マルトシド、テトラデシル-β-D-マルトシド、スクロースモノドデカノエート、またはそれらの組み合わせから選択され、かつ
前記組成物が、トリプタン類似体の減量されているが治療的には有効な量を、それを必要としている対象に与え、かつ、曲線下面積（AUC）が、アルキルサッカリドの非存在下で投与されたトリプタン類似体の増量された治療的有効量によってもたらされるAUCと比較してほぼ等しいか；あるいは、
前記化合物が、アルキルサッカリドの非存在下でもたらされる対応するAUC 0-1hrと比較して、トリプタン類似体に関して約1.3倍、1.5倍またはそれ以上の大きさであるAUC 0-1hrをもたらし；
前記化合物が対象において約30分またはそれ未満のTmaxを示し、それにより、対象において片頭痛緩和の迅速開始をもたらすか；あるいは、
前記組成物が約20分未満のTmaxをもたらし、それにより、対象における片頭痛再発の発生率の低下を提供する、
請求項1記載の組成物。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
以下を含む群：
2012513411.tif 000001
から選択される化合物、またはその薬学的に許容し得る塩。
【請求項２】
以下：
ａ．請求項１記載の化合物、またはその薬学的に許容し得る塩；および
ｂ．薬学的に許容し得る担体
を含む、薬学的組成物。
【請求項３】
Ａｋｔ１キナーゼ活性を阻害するのに有効である、請求項２に記載の薬学的組成物。
【請求項４】
約１００μＭ未満から約５μＭ未満までのＩＣ５０を有する、請求項２に記載の薬学的組成物。
【請求項５】
ＮＦｋＢ活性を阻害するのに有効である、請求項２に記載の薬学的組成物。
【請求項６】
約１００μＭ未満から約５μＭ未満までのＩＣ５０を有する、請求項３に記載の薬学的組成物。
【請求項７】
治療的有効量の請求項１記載の化合物、またはその薬学的に許容し得る塩を含む、癌を治療するための薬学的組成物。
【請求項８】
前記癌がメラノーマを含む、請求項７に記載の薬学的組成物。
【請求項９】
治療的有効量の請求項１記載の化合物、またはその薬学的に許容し得る塩を含む、アポトーシスの調節不全を特徴とする状態および神経変性状態を治療するための薬学的組成物。
【請求項１０】
治療的有効量の請求項１記載の化合物、またはその薬学的に許容し得る塩を含む、高いＡＫＴ活性を有する患者またはＡＫＴの発現が高い患者における、ＡＫＴ活性を低下させるための薬学的組成物。
【請求項１１】
前記患者が、ヒト、マウス、ラット、イヌ、ネコ、ヒツジ、ウマ、ウシ、ブタ、ヤギ、ニワトリ、シチメンチョウ、アヒル、およびガチョウからなる群より選択される、請求項１０に記載の薬学的組成物。
【請求項１２】
前記高いＡＫＴ活性の１つ以上の症状を軽減または予防するのに有効である、請求項１１に記載の薬学的組成物。
【請求項１３】
治療的有効量の請求項１記載の化合物、またはその薬学的に許容し得る塩を含む、高いＮＦｋＢ活性を有する患者またはＮＦｋＢの発現が高い患者における、ＮＦｋＢ活性を低下させるための薬学的組成物。
【請求項１４】
前記患者が、ヒト、マウス、ラット、イヌ、ネコ、ヒツジ、ウマ、ウシ、ブタ、ヤギ、ニワトリ、シチメンチョウ、アヒル、およびガチョウからなる群より選択される、請求項１３に記載の薬学的組成物。
【請求項１５】
前記高いＮＦｋＢ活性の１つ以上の症状を軽減または予防するのに有効である、請求項１３に記載の薬学的組成物。
【請求項１６】
請求項１記載の化合物、もしくはその薬学的に許容し得る塩、または請求項２記載の薬学的組成物を、ラベルまたは包装挿入物の患者に投与するための指示書とともに含む、キット。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
下記式Icの化合物、またはその薬学的に許容される塩：
2012513416.tif 000001
式中、
R1cはHおよびC1-4アルキルより選択され；
R2cは、C1-4アルキル、C2-6シクロアルキル、置換されていてもよいアリールで置換されているメチル、およびC2-4アルキニルより選択されるか；または
R1cおよびR2cは、それらが結合しているN原子と一緒になって、置換されていてもよい5員もしくは6員のヘテロシクリルを形成し、該5員もしくは6員のヘテロシクリルは、NおよびOより選択される少なくとも1つのさらなるヘテロ原子を含んでいてもよく；かつ
R3cは、置換されていてもよいC3-6シクロアルキル、置換されていてもよいアリール、ならびにNおよびOより選択される少なくとも1つのヘテロ原子を含む置換されていてもよい5員または6員のヘテロシクリルより選択される。
【請求項２】
R2cおよびR3cのうちの少なくとも1つがハロで置換されていてもよいアリールである、請求項1記載の化合物。
【請求項３】
R1cがHであり、かつR2cがC3-4アルキルである、請求項1記載の化合物。
【請求項４】
R1cがC1-4アルキルであり、かつR2cが、C1-4アルキルおよびC2-4アルキニルより選択される、請求項1記載の化合物。
【請求項５】
下記またはその薬学的に許容される塩より選択される、請求項1記載の化合物：
2012513416.tif 000002
2012513416.tif 000003
。
【請求項６】
下記一般式Iの化合物、またはその薬学的に許容される塩：
2012513416.tif 000004
式中、
R1およびR2は、それらが結合しているN原子と一緒になって、置換されていてもよい5員もしくは6員のヘテロシクリルを形成し、該5員もしくは6員のヘテロシクリルは、NおよびOより選択される少なくとも1つのさらなるヘテロ原子を含んでいてもよく；かつ
R3は、置換されていてもよいC1-6アルキルおよび置換されていてもよいC3-6シクロアルキルより選択される。
【請求項７】
R3が、C3-6シクロアルキルで置換されているメチル、またはNおよびOより選択される少なくとも1つのヘテロ原子を含む置換されていてもよい5員または6員のヘテロシクリルで置換されているメチル；置換C2-6アルキル、および置換されていてもよいC3-6シクロアルキルより選択される、請求項6記載の化合物。
【請求項８】
下記式Iaの化合物またはその薬学的に許容される塩である、請求項6記載の化合物：
2012513416.tif 000005
式中、
R1aおよびR2aは、それらが結合しているN原子と一緒になって、置換されていてもよい5員もしくは6員のヘテロシクリルを形成し、該5員もしくは6員のヘテロシクリルは、NおよびOより選択される少なくとも1つのさらなるヘテロ原子を含んでいてもよく；かつ
R3aはC1-4アルキルである。
【請求項９】
下記より選択される、化合物またはその薬学的に許容される塩：
2012513416.tif 000006
2012513416.tif 000007
2012513416.tif 000008
2012513416.tif 000009
。
【請求項１０】
下記式Ibの化合物、またはその薬学的に許容される塩：
2012513416.tif 000010
式中、
R1およびR2の少なくとも1つはH以外であるという条件で、R1およびR2は、H、置換されていてもよいC1-6アルキル、置換されていてもよいC3-6シクロアルキル、および置換されていてもよいC2-6アルキニルより独立して選択されるか；または
R1およびR2は、それらが結合しているN原子と一緒になって、置換されていてもよい5員もしくは6員のヘテロシクリルを形成し、該5員もしくは6員のヘテロシクリルは、NおよびOより選択される少なくとも1つのさらなるヘテロ原子を含んでいてもよく；かつ
R3bは置換されていてもよいC3-6シクロアルキルである。
【請求項１１】
R1およびR2がC1-4アルキルより独立して選択される、請求項10記載の化合物。
【請求項１２】
請求項1から11のいずれか一項記載の化合物および薬学的に許容される担体を含む、薬学的組成物。
【請求項１３】
パーキンソン病の治療において用いるための、請求項1から11のいずれか一項記載の化合物または請求項12記載の組成物。
【請求項１４】
パーキンソン病の治療のための医薬の製造における、請求項1から11のいずれか一項記載の化合物または請求項12記載の組成物の使用。
【請求項１５】
以下の段階を含む、請求項1から11のいずれか一項記載の式Ic、I、IaまたはIbの化合物の調製のための方法：
（a）脱離基の供給源の存在下で下記式IIIの化合物を環化して下記式IVの化合物を調製する段階であって、
2012513416.tif 000011
式中、
R3cは請求項1で定義した通りであり、R3は請求項6で定義した通りであり、かつR3bは請求項10で定義した通りであり；かつ
R8はHまたは保護基であり、
2012513416.tif 000012
式中、
R3c、R3、R3bおよびR8は前記で定義した通りであり；かつ
LGは脱離基である、段階；ならびに
（b）該式IVの化合物をNR1cR2cまたはNR1R2の供給源でアミノ化し、かつR8が保護基である場合には該式IVの化合物を脱保護する段階であって、R1cおよびR2cが請求項1で定義した通りであり、かつR1およびR2が請求項10で定義した通りである、段階。
【請求項１６】
以下の段階を含む、請求項1〜11のいずれか一項記載の式Ic、IまたはIbの化合物の調製のための方法：
（i）NR3c、NR3またはNR3bの供給源の存在下で下記式Vの化合物を環化して下記式VIの化合物を調製する段階であって、
2012513416.tif 000013
式中、
R3cは請求項1で定義した通りであり、R3は請求項6で定義した通りであり、かつR3bは請求項10で定義した通りであり；かつ
LGは脱離基であり、
2012513416.tif 000014
式中、
R3c、R3、R3bおよびLGは前記で定義した通りである、段階；ならびに
（ii）該式VIの化合物をNR1c、R2cまたはNR1R2の供給源でアミノ化する段階であって、R1cおよびR2cが請求項1で定義した通りであり、かつR1およびR2が請求項6で定義した通りである、段階。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
式Ｉ
【化１】
2012513443.tif 000001
〔式中、Ｒ１およびＲ２の一方は水素であり、他方は非置換または置換フェニル−アルキルである。〕
の化合物、またはそのエステル、および／または塩。
【請求項２】
Ｒ１が非置換または置換フェニル−Ｃ２−Ｃ７−アルキル、特にフェニル−エチル、フェニル−プロピル、フェニル−イソプロピル、フェニル−ｎ−ブチル、フェニル−ｓｅｃ−ブチル、フェニル−ｔｅｒｔ−ブチルまたはフェニル−イソブチルであり(ここで、置換フェニルは、Ｃ１−Ｃ７−アルキル、ヒドロキシル、Ｃ１−Ｃ７−アルコキシ、Ｃ１−Ｃ７−アルコキシ−Ｃ１−Ｃ７−アルコキシ、ハロ、アミノ、Ｎ−モノ−またはＮ,Ｎ−ジ−(Ｃ１−Ｃ７−アルキル、フェニル−Ｃ１−Ｃ７−アルキル、Ｃ１−Ｃ７−アルカノイル、Ｃ１−Ｃ７−アルコキシ−カルボニルおよび／またはＣ１−Ｃ７アルカンスルホニル)−アミノ、カルボキシ、Ｃ１−Ｃ７−アルコキシカルボニル、カルバモイル、Ｎ−モノ−またはＮ,Ｎ−ジ−(Ｃ１−Ｃ７−アルキルおよび／またはフェニル−Ｃ１−Ｃ７−アルキル)−カルバモイル、スルファモイル、Ｎ−モノ−またはＮ,Ｎ−ジ−(Ｃ１−Ｃ７−アルキルおよび／またはフェニル−Ｃ１−Ｃ７−アルキル)−スルファモイルおよびシアノから成る群から選択される１個以上の置換基により置換されているフェニルである)、そして
Ｒ２が水素である、
請求項１に記載の式Ｉの化合物、またはそのエステル、および／または(特に薬学的に許容される)その塩。
【請求項３】
Ｒ１が水素であり、そして
Ｒ２が非置換または置換フェニル−Ｃ２−Ｃ７−アルキル、特にフェニル−エチル、フェニル−プロピル、フェニル−イソプロピル、フェニル−ｎ−ブチル、フェニル−ｓｅｃ−ブチル、フェニル−ｔｅｒｔ−ブチルまたはフェニル−イソブチルである(ここで、置換フェニルは、Ｃ１−Ｃ７−アルキル、ヒドロキシル、Ｃ１−Ｃ７−アルコキシ、Ｃ１−Ｃ７−アルコキシ−Ｃ１−Ｃ７−アルコキシ、ハロ、アミノ、Ｎ−モノ−またはＮ,Ｎ−ジ−(Ｃ１−Ｃ７−アルキル、フェニル−Ｃ１−Ｃ７−アルキル、Ｃ１−Ｃ７−アルカノイル、Ｃ１−Ｃ７−アルコキシ−カルボニルおよび／またはＣ１−Ｃ７アルカンスルホニル)−アミノ、カルボキシ、Ｃ１−Ｃ７−アルコキシカルボニル、カルバモイル、Ｎ−モノ−またはＮ,Ｎ−ジ−(Ｃ１−Ｃ７−アルキルおよび／またはフェニル−Ｃ１−Ｃ７−アルキル)−カルバモイル、スルファモイル、Ｎ−モノ−またはＮ,Ｎ−ジ−(Ｃ１−Ｃ７−アルキルおよび／またはフェニル−Ｃ１−Ｃ７−アルキル)−スルファモイルおよびシアノ、特にフェニル−プロピルから成る群から独立して選択される１個以上の置換基で置換されているフェニルである)、
請求項１に記載の式Ｉの化合物、またはそのエステル、および／または(特に薬学的に許容される)その塩。
【請求項４】
Ｒ１が水素であり、そして
Ｒ２が３−フェニル−プロピルである、
請求項１に記載の式Ｉの化合物、またはそのエステル、および／または(特に薬学的に許容される)その塩。
【請求項５】
Ｒ１が３−フェニル−プロピルであり、そして
Ｒ２が水素である、
請求項１に記載の式Ｉの化合物、またはそのエステル、および／または(特に薬学的に許容される)その塩。
【請求項６】
動物、特にヒトの診断的および／または治療的処置に使用するための、請求項１〜５のいずれかに記載の式Ｉの化合物、そのエステルおよび／または薬学的に許容される塩。
【請求項７】
過剰なまたは不適切な骨吸収の処置に使用するための、請求項１〜５のいずれかに記載の式Ｉの化合物、そのエステルおよび／または薬学的に許容される塩。
【請求項８】
請求項１〜５のいずれかに記載の式Ｉの化合物、そのエステルおよび／または薬学的に許容される塩と、少なくとも１種の薬学的に許容される担体を含む、医薬組成物。
【請求項９】
過剰なまたは不適切な骨吸収を処置するための、請求項８に記載の医薬組成物。
【請求項１０】
早老症を処置するための、請求項８に記載の医薬組成物。
【請求項１１】
過剰なまたは不適切な骨吸収の処置における、請求項１〜５のいずれかに記載の式Ｉの化合物、そのエステルおよび／または薬学的に許容される塩の使用。
【請求項１２】
早老症の処置における、請求項１〜５のいずれかに記載の式Ｉの化合物、そのエステルおよび／または薬学的に許容される塩の使用。
【請求項１３】
請求項１〜５のいずれかに記載の式Ｉの化合物、そのエステルおよび／または塩の製造方法であって、式II
【化２】
2012513443.tif 000002
〔式中、Ｒ１およびＲ２は請求項１〜５のいずれかに記載の式Ｉの化合物について定義した通りである。〕
のカルボン酸化合物と、オキシハロゲン化リンを反応させて、式Ｉの化合物、またはその塩を得て、
必要であれば、得られる遊離の式Ｉの化合物をその塩に変換し、得られる式Ｉの化合物の塩を遊離化合物に変換しおよび／または得られる式Ｉの化合物の塩をその異なる塩に変換する
ことを含む、方法。
【手続補正２】
【補正対象書類名】明細書
【補正対象項目名】００５８
【補正方法】変更
【補正の内容】
【００５８】
式Ｉの化合物およびその塩の投与量は、しかしながら、不定であり、各状態、例えば病気の性質および重症度、処置期間および各化合物による。非経腸投与、例えば静脈内投与用投与単位形態は、例えば１０〜３００μg／体重kg、好ましくは１５〜１５０μg／体重kgを含み；そして経口投与単位形態は例えば０.１〜５mg、好ましくは０.１５〜３mg／体重kgを含む。経口投与のための好ましい一用量は、１０〜２００mgであり、静脈内投与のために、１〜１０mgである。吸収に限度があるため、経口投与のために高用量が必要である。長期処置において、投与量は、通常最初の高投与量の後、所望の効果を維持するために低用量に減らすことができる。非経腸(例えば静脈内または皮下)投与を、年間１〜５２回の一定間隔で間欠的に投与し得る。経口投与を、毎日、毎週、毎月または年４回の投与レジメンで投与し得る。
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
下記の一般式Iを有するブロックトメルカプトシラン：
(HO)2 R1 − Si − Z − S − C (= O) − A
(式中、R1は、１〜１８個の炭素原子を有する、線状または枝分れであるアルキル、シクロアルキルまたはアリールから選ばれる一価の炭化水素系基を示し；
Aは、水素；或いは、１〜１８個の炭素原子を有する、線状または枝分れであるアルキル、シクロアルキルまたはアリールから選ばれる一価の炭化水素系基を示し；
Zは、１〜１８個の炭素原子を含む二価の結合基を示す)。
【請求項２】
Zが、O、SおよびNから選ばれる１個以上のヘテロ原子を含有する、請求項１記載のメルカプトシラン。
【請求項３】
R1が、メチル、エチル、n‐プロピルおよびイソプロピルから、好ましくはメチルおよびエチルから選ばれ；
Aが、１〜１８個の炭素原子を有するアルキルおよびフェニル基から選ばれ；
Zが、C1〜C18アルキレンおよびC6〜C12アリーレンから選ばれる、請求項１および２のいずれか１項記載のメルカプトシラン。
【請求項４】
Zが、C1〜C10アルキレンから選ばれる、請求項３記載のメルカプトシラン。
【請求項５】
Zが、C1〜C4アルキレンから選ばれる、請求項４記載のメルカプトシラン。
【請求項６】
R1が、メチルである、請求項３〜５のいずれか１項記載のメルカプトシラン。
【請求項７】
Aが、１〜７個の炭素原子を有するアルキルおよびフェニル基から選ばれる、請求項３〜６のいずれか１項記載のメルカプトシラン。
【請求項８】
R1がメチルであり、Zがプロピレンであり、Aがヘプチルである、請求項３〜７のいずれか１項記載のメルカプトシラン。
【請求項９】
下記の工程を含むことを特徴とする、請求項１〜８のいずれか１項記載のメルカプトシランの製造方法：
下記の式(B)を有するブロックトメルカプトシラン(以下、生成物B)から出発する工程：
(R2O)2 R1 − Si − Z − S − C (= O) − A
(式中、R1、AおよびZは、式(I)におけるのと同じ意味を有し；
R2は、同一または異なるものであって、１〜６個、好ましくは１〜３個の炭素原子を有するアルキルから選ばれる一価の炭化水素系基を示す)；
加水分解を、目的とする式(I)のブロックトメルカプトシランを生じさせるのを可能にする酸媒質中で実施する工程。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012513467.tif 000001
[式中、Ｒは、
【化２】
2012513467.tif 000002
であり；
ｖは、３〜７の整数である]
の化合物またはその薬学的に許容される塩。
【請求項２】
式（ＩＩ）：
【化３】
2012513467.tif 000003
の化合物またはその薬学的に許容される塩。
【請求項３】
請求項２に記載の化合物またはその薬学的に許容される塩と、薬学的に許容される担体と、を含む医薬組成物。
【請求項４】
処置を必要とする対象における、細菌感染症を処置または予防するための、請求項３に記載の医薬組成物。
【請求項５】
対象が、ヒト、動物、細胞培養物または植物である、請求項４に記載の医薬組成物。
【請求項６】
対象がヒトである、請求項５に記載の医薬組成物。
【請求項７】
細菌感染症がグラム陽性菌によって引き起こされるものである、請求項４に記載の医薬組成物。
【請求項８】
細菌が、クロストリジウム・ディフィシル株である、請求項７に記載の医薬組成物。
【請求項９】
クロストリジウム・ディフィシル株が、Ｎａｐ１ クロストリジウム・ディフィシル株である、請求項８に記載の医薬組成物。
【請求項１０】
細菌が抗生物質耐性菌である、請求項７に記載の医薬組成物。
【請求項１１】
抗生物質耐性菌が、ダプトマイシン耐性黄色ブドウ球菌、ダプトマイシン耐性フェシウム菌、ダプトマイシン耐性大便連鎖球菌、メチシリン耐性黄色ブドウ球菌、または、少なくとも１種の抗生物質耐性菌を含む細菌の混合である、請求項１０に記載の医薬組成物。
【請求項１２】
抗生物質耐性菌が、バンコマイシン、メチシリン、グリコペプチド抗生物質、ペニシリンまたはダプトマイシンに耐性である、請求項１０に記載の医薬組成物。
【請求項１３】
細菌感染症が、クロストリジウム・ディフィシル関連疾患(ＣＤＡＤ)である、請求項７に記載の医薬組成物。
【請求項１４】
クロストリジウム・ディフィシル関連疾患が、Ｎａｐ１ クロストリジウム・ディフィシル感染から生じるか、またはこれによって悪化する、請求項１３に記載の医薬組成物。
【請求項１５】
対象において細菌感染症を処置するための医薬の製造における、請求項２に記載の化合物の使用。
【請求項１６】
対象が、ヒト、動物、細胞培養物または植物から選択される、請求項１５に記載の使用。
【請求項１７】
対象がヒトである、請求項１６に記載の使用。
【請求項１８】
細菌感染症がグラム陽性菌によって引き起こされるものである、請求項１５に記載の使用。
【請求項１９】
細菌が、クロストリジウム・ディフィシル株である、請求項１８に記載の使用。
【請求項２０】
クロストリジウム・ディフィシル株が、Ｎａｐ１ クロストリジウム・ディフィシル株である、請求項１９に記載の使用。
【請求項２１】
細菌が抗生物質耐性菌である、請求項１８に記載の使用。
【請求項２２】
抗生物質耐性菌が、ダプトマイシン耐性黄色ブドウ球菌、ダプトマイシン耐性フェシウム菌、ダプトマイシン耐性大便連鎖球菌、メチシリン耐性黄色ブドウ球菌、または、少なくとも１種の抗生物質耐性菌を含む細菌の混合である、請求項１７に記載の使用。
【請求項２３】
抗生物質耐性菌が、バンコマイシン、メチシリン、グリコペプチド抗生物質、ペニシリンまたはダプトマイシンに耐性である、請求項２２に記載の使用。
【請求項２４】
細菌感染症がクロストリジウム・ディフィシル関連疾患(ＣＤＡＤ)である、請求項１８に記載の使用。
【請求項２５】
クロストリジウム・ディフィシル関連疾患が、Ｎａｐ１ クロストリジウム・ディフィシル感染から生じるか、またはこれによって悪化する、請求項２４に記載の使用。
【請求項２６】
化合物が、下記式：
【化４】
2012513467.tif 000004
で表されるものである、請求項２に記載の化合物またはその薬学的に許容される塩。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
構造：
2012513479.tif 000001
［ここで、
Ｒ７は、Ｃ１−６アルキルまたはＣ３−６シクロアルキルであり、Ｒ８が、Ｏ（Ｃ１−６アルキル）またはＯ（Ｃ３−６シクロアルキル）である］化合物またはその塩。
【請求項２】
Ｒ７が、Ｍｅ、Ｅｔ、ｉＰｒ、ｃＰｒ、ｃＢｕ、またはｃＰｎであり、Ｒ８が、ＯＭｅ、ＯＥｔ、ＯｉＰｒ、ＯｃＰｒ、ＯｃＢｕ、またはＯｃＰｎである、請求項１に記載の化合物またはその塩。
【請求項３】
請求項１に記載の化合物又はその塩の有効量及び薬学的に許容可能な媒体を含む、薬学的組成物。
【請求項４】
Ｃ型肝炎ウイルスよって引き起こされる状態を治療する方法であって、対象に、治療上有効な量の請求項１に記載の化合物またはその塩を投与することを含む、方法。
【請求項５】
結晶形態である構造：
2012513479.tif 000002
を有する、化合物。
【請求項６】
約１２．２のＸＲＤ２θ反射（°）を有する、結晶形態である構造：
2012513479.tif 000003
を有する、化合物。
【請求項７】
斜方結晶形態を有する、構造：
2012513479.tif 000004
を有する、化合物。
【請求項８】
約９９９ｃｍ−１のＦＴ−ＩＲピークを有する、請求項７に記載の結晶性の化合物。
【請求項９】
対象がヒトである、請求項４に記載の方法。
【請求項１０】
請求項１に記載の化合物又はその塩の有効量；
ＨＣＶ  ＮＳ３プロテアーゼ阻害剤、ＨＣＶ  ＮＳ５Ｂ阻害剤、ＨＣＶ  ＮＳ４Ａ阻害剤、ＨＣＶ  ＮＳ４Ｂ阻害剤、及びＨＣＶ  ＮＳ５ａ阻害剤のうちから選択される少なくとも一の薬剤の有効量；及び
薬学的に許容可能な媒体を含む、Ｃ型肝炎ウイルスの治療のための組成物。
【請求項１１】
請求項１に記載の化合物又はその塩の有効量；
ＨＣＶ  ＮＳ３プロテアーゼ阻害剤、ＨＣＶ  ＮＳ５Ｂ阻害剤、及びＨＣＶ  ＮＳ５ａ阻害剤のうちから選択される少なくとも一の薬剤の有効量；及び
薬学的に許容可能な媒体を含む、Ｃ型肝炎ウイルスの治療のための組成物。
【請求項１２】
請求項１に記載の化合物又はその塩の有効量；
ＨＣＶ  ＮＳ３プロテアーゼ阻害剤及びＨＣＶ  ＮＳ５Ｂ阻害剤のうちから選択される少なくとも一の薬剤の有効量；及び
薬学的に許容可能な媒体を含む、Ｃ型肝炎ウイルスの治療のための組成物。
【請求項１３】
請求項１に記載の化合物又はその塩の有効量；
ＨＣＶ  ＮＳ３プロテアーゼ阻害剤及びＨＣＶ  ＮＳ５ａ阻害剤のうちから選択される少なくとも一の薬剤の有効量；及び
薬学的に許容可能な媒体を含む、Ｃ型肝炎ウイルスの治療のための組成物。
【請求項１４】
請求項１に記載の化合物又はその塩の有効量；
ＨＣＶ  ＮＳ５Ｂ阻害剤及びＨＣＶ  ＮＳ５ａ阻害剤のうちから選択される少なくとも一の薬剤の有効量；及び
薬学的に許容可能な媒体を含む、Ｃ型肝炎ウイルスの治療のための組成物。
【請求項１５】
請求項１に記載の化合物又はその塩の有効量；
ＨＣＶ  ＮＳ３プロテアーゼ阻害剤の有効量；及び
薬学的に許容可能な媒体を含む、Ｃ型肝炎ウイルスの治療のための組成物。
【請求項１６】
請求項１に記載の化合物又はその塩の有効量；
ＨＣＶ  ＮＳ５Ｂ阻害剤の有効量；及び
薬学的に許容可能な媒体を含む、Ｃ型肝炎ウイルスの治療のための組成物。
【請求項１７】
請求項１に記載の化合物又はその塩の有効量；
ＨＣＶ  ＮＳ４Ａ阻害剤の有効量；及び
薬学的に許容可能な媒体を含む、Ｃ型肝炎ウイルスの治療のための組成物。
【請求項１８】
請求項１に記載の化合物又はその塩の有効量；
ＨＣＶ  ＮＳ４Ｂ阻害剤の有効量；及び
薬学的に許容可能な媒体を含む、Ｃ型肝炎ウイルスの治療のための組成物。
【請求項１９】
請求項１に記載の化合物又はその塩の有効量；
ＨＣＶ  ＮＳ５ａ阻害剤の有効量；及び
薬学的に許容可能な媒体を含む、Ｃ型肝炎ウイルスの治療のための組成物。
【請求項２０】
対象に請求項１０から１９の何れか一項に記載の組成物を投与することを含む、患者におけるＣ型肝炎ウイルス感染を治療するための方法。
【請求項２１】
対象がヒトである、請求項２０に記載の方法。
【請求項２２】
構造：
2012513479.tif 000005
を有する請求項２に記載の化合物又はその塩。
【請求項２３】
構造：
2012513479.tif 000006
を有する請求項２に記載の化合物又はその塩。
【請求項２４】
構造：
2012513479.tif 000007
を有する請求項２に記載の化合物又はその塩。
【手続補正書】
【提出日】平成24年12月14日(2012.12.14)
【手続補正１】
【補正対象書類名】明細書
【補正対象項目名】０１１２
【補正方法】変更
【補正の内容】
【０１１２】
利益、他の利点、および問題の解決策が、具体的な実施形態に関して上述されている。しかしながら、利益、他の利点、および問題の解決策、ならびに利益、利点、もしくは解決策を生じさせる、またはより明確にさせる、いずれかの特徴は、いずれか、またはすべての特許請求の範囲の重要な、必要な、または本質的な特徴として解釈されるものではない。
個々の実施形態の文脈において、理解し易くするために、特定の特徴が本明細書に記述されており、１つの実施形態において組み合わせて提供されていることもあることを理解されたい。逆に、１つの実施形態の文脈に簡潔に記述されている種々の特徴は、別々に、またはいずれかのサブコンビネーションで提供することもできる。さらに、範囲内で指定される値の参照は、その範囲内の各値およびすべての値を包含する。
【手続補正２】
【補正対象書類名】明細書
【補正対象項目名】０１１３
【補正方法】変更
【補正の内容】
【０１１３】
以上、本発明を要約すると下記のとおりである。
１．触媒の存在下にて、クロロフルオロアルケンの塩素置換基を水素で置換させるのに十分な温度で、式ＲｆＣＣｌ＝ＣＣｌＲｆ（式中、Ｒｆは、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のクロロフルオロアルケンを水素と接触させて、式Ｅ−またはＺ−Ｒ１ＣＨ＝ＣＨＲ２（式中、Ｒ１およびＲ２は、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキルである）のフッ素含有オレフィンを生成させる工程であって、ここで該触媒が、クロムおよびニッケルを含む組成物である上記工程を含む、フッ素含有オレフィンを製造する方法。
２．触媒が、クロム約１０％〜約９０％およびニッケル約９０％〜約１０％を含む組成物である、上記１に記載の方法。
３．触媒組成物が、カリウムおよびセシウムおよびルビジウムから選択されるアルカリ金属をさらに含む、上記１に記載の方法。
４．アルカリ金属が、１〜３０質量％である、上記３に記載の方法。
５．触媒が担体上にある、上記１に記載の方法。
６．担体が、金属フッ化物、アルミナまたはチタニアである、上記５に記載の方法。
７．金属フッ化物が、フッ化マグネシウム、フッ化カルシウム、フッ化ストロンチウムおよびフッ化バリウムから選択される、上記６に記載の方法。
８．触媒の存在下にて、クロロフルオロアルケンの塩素置換基を脱離させるのに十分な温度で、式ＲｆＣＣｌ＝ＣＣｌＲｆ（式中、Ｒｆはそれぞれ、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のクロロフルオロアルケンを水素と接触させて、式Ｒ１ＣＨ≡ＣＨＲ２（式中、Ｒ１およびＲ２はそれぞれ、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のフッ素含有アルキンを生成させる工程であって、該触媒が、銅およびニッケルを含む組成物である上記工程を含む、フッ素含有アルキンを製造する方法。
９．触媒組成物が、カリウム、セシウムおよびルビジウムから選択されるアルカリ金属をさらに含む、上記８に記載の方法。
１０．触媒組成物が、クロムをさらに含む、上記９に記載の方法。
１１．アルカリ金属が、１〜約３０質量％で存在する、上記１０に記載の方法。
１２．触媒が担体上にある、上記８に記載の方法。
１３．担体が、金属フッ化物、アルミナまたはチタニアである、上記１２に記載の方法。１４．水素とクロロフルオロアルケンの比が、約１：１〜約５：１である、上記８に記載の方法。
１５．少なくとも３５０℃の温度で行われる、上記８に記載の方法。
【手続補正３】
【補正対象書類名】特許請求の範囲
【補正対象項目名】全文
【補正方法】変更
【補正の内容】
【特許請求の範囲】
【請求項１】
触媒の存在下にて、クロロフルオロアルケンの塩素置換基を水素で置換させるのに十分な温度で、式ＲｆＣＣｌ＝ＣＣｌＲｆ（式中、Ｒｆは、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のクロロフルオロアルケンを水素と接触させて、式Ｅ−またはＺ−Ｒ１ＣＨ＝ＣＨＲ２（式中、Ｒ１およびＲ２は、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキルである）のフッ素含有オレフィンを生成させる工程であって、ここで該触媒が、クロムおよびニッケルを含む組成物である上記工程を含む、フッ素含有オレフィンを製造する方法。
【請求項２】
触媒の存在下にて、クロロフルオロアルケンの塩素置換基を脱離させるのに十分な温度で、式ＲｆＣＣｌ＝ＣＣｌＲｆ（式中、Ｒｆはそれぞれ、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のクロロフルオロアルケンを水素と接触させて、式Ｒ１ＣＨ≡ＣＨＲ２（式中、Ｒ１およびＲ２はそれぞれ、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基である）のフッ素含有アルキンを生成させる工程であって、該触媒が、銅およびニッケルを含む組成物である上記工程を含む、フッ素含有アルキンを製造する方法。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
骨組織内に固定されるように構成された整形インプラントであって、前記整形インプラントは、
縦前方方向に沿って前記骨組織内に挿入されるように構成された端板であって、前記端板が骨接触面と、前記骨接触面から出て延びかつ前記骨組織内に形成されたスロットに配置されるように構成された竜骨とを呈し、前記竜骨が、前記骨接触面から出て延びる基部と、前記基部によって支持された竜骨本体と、前記竜骨本体から縦後方方向に延びる翼とを含み、前記翼が、空隙によって前記基部から離間され、前記竜骨本体は前記スロットを形成する前記骨組織に面する側壁を有し、前記翼が、前記スロットを形成する前記骨組織と接触するように形成された外面を有するフレア部分を含み、前記外面が、前記外面が前記側壁から縦後方方向に延びるとき、前記側壁に対して縦前方方向及び横断方向の両方と角度を付けられた横方向の外側に延びる、前記端板を有することを特徴とする整形インプラント。
【請求項２】
前記フレア部分は、空隙によって前記骨接触面から離間していることを特徴とする請求項１に記載の整形インプラント。
【請求項３】
前記フレア部分は、可撓性であり且つ前記骨接触面に対して移動するように構成されることを特徴とする請求項２に記載の整形インプラント。
【請求項４】
前記竜骨本体は、前記基部から外方に延びることを特徴とする請求項２に記載の整形インプラント。
【請求項５】
前記フレア部分は、前記基部に対して移動するように可撓性であることを特徴とする請求項４に記載の整形インプラント。
【請求項６】
前記基部は、縦前方付勢力を受け取るために挿入ツールに当接するように構成された係合面を有することを特徴とする請求項５に記載の整形インプラント。
【請求項７】
前記翼は、第１の翼であり、前記整形インプラントは、更に、前記第１の翼から横方向に離間した第２の翼を有することを特徴とする請求項１に記載の整形インプラント。
【請求項８】
前記フレア部分が、第１のフレア部分であり、前記第２の翼は、前記第１のフレア部分と反対の方向に横方向外方に突出する第２のフレア部分を有することを特徴とする請求項７に記載の整形インプラント。
【請求項９】
前記第１及び第２のフレア部分は、互いの方向に屈曲するように構成されることを特徴とする請求項８に記載の整形インプラント。
【請求項１０】
前記第１及び第２の翼は、前記第１及び第２のフレア部分を互いの方向に付勢する器具からの力を受け取るように構成されたそれぞれの係合面を更に有することを特徴とする請求項９に記載の整形インプラント。
【請求項１１】
前記係合面は、前記第１及び第２のフレア部分の間に配置された位置で前記翼から延びることを特徴とする請求項１０に記載の整形インプラント。
【請求項１２】
前記整形インプラントは椎間インプラントであることを特徴とする請求項１に記載の整形インプラント。
【請求項１３】
骨組織内に固定されるように構成された整形インプラントであって、前記整形インプラントは、
縦前方方向に沿って前記骨組織内に挿入されるように構成された端板であって、前記端板が骨接触面と、前記骨接触面から横断方向に外に延びかつ前記骨組織内に形成されたスロットに配置されるように構成された竜骨とを呈し、前記竜骨が、竜骨本体と、前記竜骨本体から後方に延びる翼と、前記骨接触面から横断方向に外に延びる基部であって、前記翼が前記基部から横断方向に離間する、前記基部とを含み、前記翼が、前記スロットを形成する前記骨組織と接触するように形成された外面を有し、前記翼が、前記竜骨が前記スロット内に挿入されるとき、前記外面が、前記翼を前記竜骨本体に対して移動させる前記骨組織と接触している、前記端板を有することを特徴とする整形インプラント。
【請求項１４】
前記翼は、空隙によって前記基部から離間していることを特徴とする請求項１３に記載の整形インプラント。
【請求項１５】
前記翼は、第１の翼であり、前記インプラントは、更に、前記第１の翼から横方向に離間した第２の翼を有することを特徴とする請求項１４に記載の整形インプラント。
【請求項１６】
各翼は、更に、互いから離れる方向に横方向外方に突出するフレア部分を有することを特徴とする請求項１５に記載の整形インプラント。
【請求項１７】
前記第１及び第２の翼は、前記フレア部分を互いの方向に付勢する器具からの力を受け取るように構成されたそれぞれの係合面を更に有することを特徴とする請求項１６に記載の整形インプラント。
【請求項１８】
前記整形インプラントは椎間インプラントであることを特徴とする請求項１３に記載の整形インプラント。
【請求項１９】
椎骨インプラントの端板であって、
前記端板は、縦前方方向に沿って椎間腔内に挿入されるように構成され、前記端板は、骨接触面と、前記骨接触面から出て延び、かつ椎骨に形成されたスロットに配置されるように構成された竜骨とを呈し、前記竜骨が、基部と、前記基部から上方に延びる竜骨本体であって、そのために前記基部が前記竜骨本体から後方方向に延びる前記竜骨本体と、前記竜骨本体から後方方向に延びる翼とを含み、前記翼は、空隙によって縦前方方向から角度を付けられた横断方向に前記基部から離間され、前記竜骨本体は前記骨組織に面する側壁を有し、前記翼は、縦前方方向、縦後方方向及び横断方向の各々から角度を付けられた方向の前記側壁に対して横方向外方に突出する可撓性フレア部分を含む、ことを特徴とする端板。
【請求項２０】
前記横方向は、前記縦前方方向に対してほぼ垂直であることを特徴とする請求項１に記載の整形インプラント。
【請求項２１】
前記横断方向は、前記縦前方方向に対してほぼ垂直であることを特徴とする請求項１３に記載の整形インプラント。
【請求項２２】
骨組織内に固定されるように構成された整形インプラントであって、前記整形インプラントは、
縦前方方向に沿って前記骨組織内に挿入されるように構成された端板であって、前記端板が骨接触面と、前記骨接触面から出て延びかつ前記骨組織内に形成されたスロットに配置されるように構成された竜骨とを呈し、前記竜骨が、竜骨本体と、第１の及び第２の翼とを有し、前記第１の及び第２の翼の各々が、互いから横方向に離間され、且つ互いに向かって曲がるように構成され、且つ前記竜骨本体から後方に延び、前記第１の及び第２の翼が、第１のフレア部分及び第２のフレア部分をそれぞれ有し、前記第１のフレア部分及び前記第２のフレア部分の各々が縦後方方向に対して反対の方向に横方向外方に突出し、前記第１及び第２の翼は、前記第１のフレア部分及び前記第２のフレア部分を互いの方向に付勢する器具からの力を受け取るように構成されたそれぞれの係合面を更に有し、前記係合面は、前記第１のフレア部分及び前記第２のフレア部分の間に配置された位置で前記第１及び第２の翼からそれぞれ延び、前記第１のフレア部分及び前記第２のフレア部分は空隙によって前記骨接触面から離間されていることを特徴とする整形インプラント。